(57)【要約】【課題】  商品紹介を行うＤＶＤ再生装置を商品展示スタンドにコンパクトにまとめて内蔵できるとともに、その操作を容易に行えるようにしたＤＶＤ再生機能付き商品展示装置を提供する。【解決手段】  商品を展示する商品展示スタンド１にＤＶＤ内蔵ボックス５を設けるとともに、ＤＶＤ再生映像を表示することができるモニタ装置８を設置する。ＤＶＤ内蔵ボックス５内に、ＤＶＤプレーヤ２６と、これをワイヤレスで操作するＤＶＤコントローラ２７とを内蔵して、これらＤＶＤコントローラ２７の送信部２９とＤＶＤプレーヤ２６の受信部２８とをＤＶＤ内蔵ボックス５内で対向させ、ＤＶＤ内蔵ボックス表面の操作パネル１８に、ＤＶＤコントローラ２７の操作ボタンを配置する。【選択図】  図７
0003111671.tif 000002
【実用新案登録請求の範囲】
【請求項１】
商品を展示する商品展示スタンドにＤＶＤ内蔵ボックスを設けるとともに、ＤＶＤ再生映像を表示することができるモニタ装置を設置し、前記ＤＶＤ内蔵ボックス内に、ＤＶＤプレーヤと、該ＤＶＤプレーヤをワイヤレスで操作するＤＶＤコントローラとを内蔵して、これらＤＶＤコントローラの送信部とＤＶＤプレーヤの受信部とをＤＶＤ内蔵ボックス内で対向させ、ＤＶＤ内蔵ボックス表面の操作パネルに、前記ＤＶＤコントローラの操作ボタンを配置したことを特徴とするＤＶＤ再生機能付き商品展示装置。
【請求項２】
ＤＶＤ内蔵ボックスが商品展示スタンドの中央に設けられ、その上方の正面においてモニタ装置が商品展示スタンドに設置されていることを特徴とする請求項１に記載のＤＶＤ再生機能付き商品展示装置。
【請求項３】
ＤＶＤ内蔵ボックスの開口が、商品展示スタンドの背面に設けられていることを特徴とする請求項１又は２に記載のＤＶＤ再生機能付き商品展示装置。
【考案の詳細な説明】
【技術分野】
【０００１】
本考案は、カメラや家電機器やオフィスオートメーション機器等の各種の商品をショールーム等で展示する商品展示装置、特に、ＤＶＤ（デジタルビデオディスク）による再生映像・再生音声により商品紹介をビジュアルに行えるようにしたＤＶＤ再生機能付き商品展示装置（什器）に関する。
【背景技術】
【０００２】
従来、展示する商品を映像により紹介できるようにした展示装置として、次の文献に記載されたものがある。
特許文献１（特開２００３−２９０００１号公報）
特許文献２（特開２００２−２７８４８７号公報）
特許文献３（特許第３１１１０４４号公報）
特許文献４（特許第２９５４８３８号公報）
【０００３】
これらのものは、モニタ装置（ＴＶモニタ）を用いて顧客に分かりやすく商品紹介できるようにしているものの、映像再生装置に関する構造については、特別の工夫がされていない。
【特許文献１】特開２００３−２９０００１号公報
【特許文献２】特開２００２−２７８４８７号公報
【特許文献３】特許第３１１１０４４号公報
【特許文献４】特許第２９５４８３８号公報
【考案の開示】
【考案が解決しようとする課題】
【０００４】
本考案の課題は、ＤＶＤを用いて商品紹介を行うもので、ＤＶＤ再生装置を商品展示スタンドにコンパクトにまとめて内蔵できるとともに、その操作を容易に行えるようにしたＤＶＤ再生機能付き商品展示装置を提供することにある。
【課題を解決するための手段】
【０００５】
本考案のＤＶＤ再生機能付き商品展示装置は、商品を展示する商品展示スタンドに、ＤＶＤ再生映像を表示することができるモニタ装置を設置するとともに、この商品展示スタンドに設けられたＤＶＤ内蔵ボックス内に、ＤＶＤプレーヤと、該ＤＶＤプレーヤをワイヤレスで操作するＤＶＤコントローラとを内蔵して、これらＤＶＤコントローラの送信部とＤＶＤプレーヤの受信部とをＤＶＤ内蔵ボックス内で対向させ、ＤＶＤ内蔵ボックス表面の操作パネルに、ＤＶＤコントローラの操作ボタンを配置したことを特徴とする。
【０００６】
その好ましい形態では、ＤＶＤ内蔵ボックスが商品展示スタンドの中央に設けられ、その上方の正面においてモニタ装置が商品展示スタンドに設置されている。
また、ＤＶＤ内蔵ボックスの開口が、商品展示スタンドの背面に設けられている。
【考案の効果】
【０００７】
本考案によれば、モニタ装置を設置した商品展示スタンドにＤＶＤ内蔵ボックスを設け、このＤＶＤ内蔵ボックス内に、ＤＶＤプレーヤと、これをワイヤレスで操作するＤＶＤコントローラとを内蔵して、これらＤＶＤコントローラの送信部とＤＶＤプレーヤの受信部とをＤＶＤ内蔵ボックス内で対向させ、ＤＶＤ内蔵ボックス表面の操作パネルに、ＤＶＤコントローラの操作ボタンを配置したので、ＤＶＤプレーヤとＤＶＤコントローラとを商品展示スタンドにコンパクトにまとめて内蔵できる。また、これらを保護隠蔽してイタズラを防止できるとともに、商品を体裁良く展示できる。
【０００８】
請求項２に係る考案のように、ＤＶＤ内蔵ボックスを商品展示スタンドの中央に設け、モニタ装置を、ＤＶＤ内蔵ボックスの上方の正面において商品展示スタンドに設置すると、画面操作が容易になる。
【０００９】
請求項３に係る考案のように、ＤＶＤ内蔵ボックスの開口を商品展示スタンドの背面に設けると、ＤＶＤプレーヤ及びＤＶＤコントローラの組み込みやメンテンナンスが容易である。
【考案を実施するための最良の形態】
【００１０】
次に、本考案の実施例を図面に基づいて詳細に説明する。
【実施例】
【００１１】
図１に、本実施例のＤＶＤ再生機能付き商品展示装置（什器）の全体の外観を示す。この装置は、本体である商品展示スタンド１の基板２の下面にキャスタ３が装着されていることにより、全体が移動できるようになっている。
【００１２】
商品展示スタンド１には、その中央にＤＶＤ内蔵ボックス５、その左右両側に左右の商品展示台６・７が設けられている。また、ＤＶＤ内蔵ボックス５の後端の上側には、液晶等による薄型のモニタ装置（図の例では液晶カラーテレビ）８が正面に向けて設置され、その左右両側に左右の透明ショーケース９・１０が設けられ、商品展示スタンド１の頂部には、照明ユニット１１が架設フレーム１２にて架設されている。さらに、ＤＶＤ内蔵ボックス５の下側にはプリンタ台１３が設けられている。
【００１３】
本装置の組み立てや搬送が便利になるように、プリンタ台１３を含む下部は、図２に示すようにラックのような形態となっていて、ＤＶＤ内蔵ボックス５や左右の商品展示台６・７などを含む上部と上下に二分でき、上部を下部の水平な天板１４上に載置して組み立てるようになっている。
【００１４】
ＤＶＤ内蔵ボックス５は、図４に示すような断面で、底板１５と天板１６とは水平であるが、前板１７は断面くの字形で、その前下がりに傾斜した上側部分に、後述するＤＶＤコントローラのための操作パネル１８が設けられている。
【００１５】
図１に示すように、ＤＶＤ内蔵ボックス５の天板１６上及び左右の商品展示台６・７上には、カメラ等の商品を載置して展示でき、また左右の透明ショーケース９・１０内には、交換レンズ等の付属品を収容して展示できるようになっている。
【００１６】
モニタ装置８は、商品展示スタンド１の正面に形成された凹所１９内において、前板２０に取り付けられている。この前板２０の後側で、ＤＶＤ内蔵ボックス５内の後端部から商品展示スタンド１の頂部へ至る部分は、背板２１で背面を閉じられた電気配線用の中空部２２となっている。
【００１７】
照明ユニット１１には、上部から下向きに照明するための複数個のハロゲンランプ２３が取り付けられ、左右の透明ショーケース９・１０の後側には、図５及び図６に示すように背後から照明するための蛍光灯２４が配置されている。
【００１８】
図６に示すように、背板２１には、ＤＶＤ内蔵ボックス５のための開口２５が形成されている。そして、図７に透視して示すように、ＤＶＤプレーヤ２６とこれをワイヤレスで操作するＤＶＤコントローラ２７とが、この開口２５を通じてＤＶＤ内蔵ボックス５内に設置されている。これらＤＶＤプレーヤ２６とＤＶＤコントローラ２７とは、ＤＶＤ内蔵ボックス５内で前者を前側、後者を後側にして前者の赤外線受信部２８と後者の赤外線送信部２９とを前後に対向させてある。ＤＶＤプレーヤ２６とＤＶＤコントローラ２７とをこのように内蔵したＤＶＤ内蔵ボックス５の開口２５は、裏蓋板３０にて閉じられる。なお、赤外線受信部２８と赤外線送信部２９に代えて、短距離無線通信方式の受信部と送信部を用いてもよい。
【００１９】
図８に電気配線図を示す。商用交流電源に接続するためのプラグ３１から、電源スイッチ３２を介して２つのテーブルタップ３３・３４に配線され、一方のテーブルタップ３３には、照明のためのハロゲンランプ２３及び蛍光灯２４が接続され、他方のテーブルタップ３４には、モニタ装置８とＤＶＤコントローラ２７とがそれぞれのＡＣアダプタ３５・３６を介して接続されるとともに、ＤＶＤプレーヤ２６が接続される。
【００２０】
また、モニタ装置８とＤＶＤプレーヤ２６とは映像ライン３７で接続され、モニタ装置８とＤＶＤコントローラ２７とは音声ライン３８で接続され、ＤＶＤプレーヤ２６とＤＶＤコントローラ２７も別の音声ライン３９で接続される。ＤＶＤコントローラ２７とその操作パネル１８とは、別の配線で接続されている。
【００２１】
操作パネル１８には、ＤＶＤコントローラ２７の基本機能のみの例えば６つの操作ボタン、つまり、メニュー選択ボタン、再生ボタン、一時停止ボタン、終了ボタン、次キャプチャボタン、前キャプチャボタンが配置されており、顧客がこれらのボタンを操作することにより、当該展示商品に関する各種の情報を任意に選択しながら、モニタ装置８によって映像及び音声の両方にてビジュアルに視聴できる。
【００２２】
なお、ＤＶＤソフト内の任意のキャプチャ（プログラム）を待機画面で事前に設定しておいて、エンドレスで再生できるようにしてもよく、再生の仕方には種々の方法が考えられる。
【図面の簡単な説明】
【００２３】
【図１】本考案の一実施例の全体の外観斜視図である。
【図２】上下に二分できることを示す斜視図である。
【図３】モニタ装置、ＤＶＤプレーヤ、プリンタの商品展示スタンドへの設置状態を示す斜視図である。
【図４】全体の中央縦断面図である。
【図５】透明ショーケースの部分で切断した部分断面図である。
【図６】背面から見た一部の分解斜視図である。
【図７】ＤＶＤ内蔵ボックス内を透視した斜視図である。
【図８】電気配線図である。
【符号の説明】
【００２４】
１  商品展示スタンド
２  基板
３  キャスタ
５  ＤＶＤ内蔵ボックス
６・７  商品展示台
８  モニタ装置
９・１０  透明ショーケース
１１  照明ユニット
１２  架設フレーム
１３  プリンタ台
１４  天板
１５  底板
１６  天板
１７  前板
１８  操作パネル
１９  凹所
２０  前板
２１  背板
２２  中空部
２３  ハロゲンランプ
２４  蛍光灯
２５  開口
２６  ＤＶＤプレーヤ
２７  ＤＶＤコントローラ
２８  赤外線受信部
２９  赤外線送信部
３０  裏蓋板
３１  プラグ
３２  電源スイッチ
３３・３４  テーブルタップ
３５・３６  ＡＣアダプタ
３７  映像ライン
３８・３９  音声ライン
【図１】
0003111671.tif 000003
【図２】
0003111671.tif 000004
【図３】
0003111671.tif 000005
【図４】
0003111671.tif 000006
【図５】
0003111671.tif 000007
【図６】
0003111671.tif 000008
【図７】
0003111671.tif 000009
【図８】
0003111671.tif 000010